(57)【特許請求の範囲】
【請求項１】
通常の工具を用いることにより螺着させることができ、一旦螺着させた後では緩めることができず、しかし、非常時には専用の治具によって緩めることが可能となるように構成した盗難防止用ボルトであって、外周部に雄ネジ部を有すると共に、一端がわに第一セレーションを有するボルト基体と、工具用係止部を外がわに有すると共に、第二セレーションを内がわに有するボルト頭体と、ボルト基体及びボルト頭体に跨るように内装されると共に、ボルト基体に対して回動且つ摺動自在に装着される軸体と、この軸体に摺動方向に沿った弾発力を付勢させる弾発スプリングと、軸体の一端に装着されると共に、ボルト頭体の内がわに螺着自在な連繋ネジ体とを備え、弾発スプリングの弾発力により、ボルト頭体の第二セレーションがボルト基体の第一セレーションに接近して係止状態となるように形成し、ボルト頭体を所定向きに回転せしめたときには、ボルト頭体の回転力がボルト基体に伝達されるように形成すると共に、ボルト頭体を所定向きに対して逆回転せしめたときには、ボルト頭体が空回りして、ボルト頭体の回転力がボルト基体に伝達されないように形成し、前記ボルト基体の第一セレーションの内がわには、治具用第一係止部を形成し、前記連繋ネジ体には、治具用第二係止部を形成し、弾発スプリングの弾発力に抗してボルト基体からボルト頭体を離したときに第一セレーションと第二セレーションとの間に隙間空間ができるように形成し、この隙間空間から差込み可能な第一治具の第一係止部が連繋ネジ体の治具用第二係止部に係止できるよう形成して、ボルト頭体を連繋ネジ体から取外せるように形成し、ボルト基体の治具用第一係止部に係止される第二治具の第二係止部によって、ボルト基体を逆回転できるように構成したことを特徴とする盗難防止用ボルト。
【請求項２】
一つの治具の一端に第一治具の第一係止部を設け、他端に第二治具の第二係止部を設けたことを特徴とする請求項１記載の盗難防止用ボルトに用いられる治具。
【発明の詳細な説明】
【技術分野】
【０００１】
本発明は、例えば、ナンバープレート等を固定するのに最適な盗難防止用ボルトに係り、通常の工具を用いることにより螺着させることができ、一旦螺着させた後では緩めることができず、しかも、非常時には緩めることが可能となるように工夫された盗難防止用ボルト及び盗難防止用ボルトに用いられる治具に関するものである。
【背景技術】
【０００２】
従来、この種の盗難防止用ボルトにあっては、例えば、特許文献１に示すようなボルトが開示されている。
これは、特殊な工具を用いることなく締め付けることができ、締め付けた後では緩めることができず、しかし、非常時には緩めることができるボルトである。
具体的には、中心に凹部を有する第一ボルト軸からなる第一ボルトと、前記第一ボルト軸に設けた前記凹部に下半身が摺動自在に挿入される第二ボルト軸と、該第二ボルト軸の先端部に設けた第二セレーションとからなる第二ボルトと、前記第二ボルトの第二セレーションとは反対側の第二ボルト軸後端に設けたロック部とからなり、前記第一ボルトの頭部上には、一方方向の回転時には係止部となり、逆方向の回転時には係止部とならない第一係止部が形成され、前記第二セレーションの前記第一ボルトの頭部と対峙する面には、前記第一ボルトに設けた第一係止部に係止して該第一ボルトを一方方向にのみ回動する第二係止部が形成され、前記第一ボルトに設けた凹部の開口端部は、前記第二ボルト軸を挿通し、且つ該凹部に収納される前記ロック部を係止する狭部に構成されたものである。
【先行技術文献】
【特許文献】
【０００３】
【特許文献１】特開２００９−２７５７１４号公報
【発明の概要】
【発明が解決しようとする課題】
【０００４】
ところが、前述の如きボルトにあっては、非常時にボルトを緩めなければならなくなった場合に於いて、第二ボルトを上方へ引き上げて、第一ボルトと第二セレーションとの間に隙間を設け、この隙間を利用して第二ボルト軸を切断しなければならない。しかしながら、第二ボルト軸の切断作業自体は、専用の工具を利用したとしてもおいそれとはできないものであった。すなわち、盗難防止用としてはその役割りを十分に果たすことができるものとなっているが、非常時にボルトを緩めなければならない場合も多く、現実的な取扱いの上では、かなり不便でもあった。
【０００５】
そこで、本発明は、前述の如き難点等を解消することにより、盗難防止用としての役割りを十分に果たすことができると共に、非常時に於いてボルトを緩める作業がそれ程面倒でなく、より取扱い易くなるように工夫された盗難防止用ボルト及び盗難防止用ボルトに用いられる治具を提供すべく創出されたものである。
【課題を解決するための手段】
【０００６】
しかして、前述の如き課題を達成できるように、請求項１記載の盗難防止用ボルトにあっては、通常の工具Ｇを用いることにより螺着させることができ、一旦螺着させた後では緩めることができず、しかし、非常時には専用の治具Ｆによって緩めることが可能となるように構成した盗難防止用ボルトであって、外周部に雄ネジ部４を有すると共に、一端がわに第一セレーション３を有するボルト基体Ａと、工具用係止部３４を外がわに有すると共に、第二セレーション３２を内がわに有するボルト頭体Ｅと、ボルト基体Ａ及びボルト頭体Ｅに跨るように内装されると共に、ボルト基体Ａに対して回動且つ摺動自在に装着される軸体Ｂと、この軸体Ｂに摺動方向に沿った弾発力を付勢させる弾発スプリングＣと、軸体Ｂの一端に装着されると共に、ボルト頭体Ｅの内がわに螺着自在な連繋ネジ体Ｄとを備え、弾発スプリングＣの弾発力により、ボルト頭体Ｅの第二セレーション３２がボルト基体Ａの第一セレーション３に接近して係止状態となるように形成し、ボルト頭体Ｅを所定向きに回転せしめたときには、ボルト頭体Ｅの回転力がボルト基体Ａに伝達されるように形成すると共に、ボルト頭体Ｅを所定向きに対して逆回転せしめたときには、ボルト頭体Ｅが空回りして、ボルト頭体Ｅの回転力がボルト基体Ａに伝達されないように形成し、前記ボルト基体Ａの第一セレーション３の内がわには、治具用第一係止部８を形成し、前記連繋ネジ体Ｄには、治具用第二係止部２２を形成し、弾発スプリングＣの弾発力に抗してボルト基体Ａからボルト頭体Ｅを離したときに第一セレーション３と第二セレーション３２との間に隙間空間ができるように形成し、この隙間空間から差込み可能な第一治具Ｆ１の第一係止部４０が連繋ネジ体Ｄの治具用第二係止部２２に係止できるよう形成して、ボルト頭体Ｅを連繋ネジ体Ｄから取外せるように形成し、ボルト基体Ａの治具用第一係止部８に係止される第二治具Ｆ２の第二係止部４１によって、ボルト基体Ａを逆回転できるように構成する手段を採用した。
【０００７】
また、請求項２記載の盗難防止用ボルトに用いられる治具にあっては、一つの治具Ｆの一端に第一治具Ｆ１の第一係止部４０を設け、他端に第二治具Ｆ２の第二係止部４１を設ける手段を採用した。
【発明の効果】
【０００８】
従って、請求項１記載の盗難防止用ボルトによれば、例えば、ナンバープレート等の盗難を抑制できるようになると共に、盗難防止用としての役割りを十分に果たすことができるものとなる。しかも、非常時に於いて盗難防止用ボルトを緩める場合は、その作業がそれ程面倒でなく行えるようになり、より取扱い易い盗難防止用ボルトとなる。
更に、ボルト頭体Ｅに工具用係止部３４を設けてあるので、通常の工具Ｇによってボルト頭体Ｅを回転させることができ、盗難防止用ボルトを螺着させることができるようになる。
【０００９】
特に、連繋ネジ体Ｄには治具用第二係止部２２を形成し、隙間空間から差込み可能な第一治具Ｆ１の第一係止部４０が治具用第二係止部２２に係止できるよう形成してあるので、第一治具Ｆ１と工具Ｇを利用することにより、連繋ネジ体Ｄに螺着してあるボルト頭体Ｅを連繋ネジ体Ｄから取外すことができるようになる。すると、ボルト基体Ａの治具用第一係止部８に第二治具Ｆ２の第二係止部４１を容易に係止できるようになり、第二治具Ｆ２によって、ボルト基体Ａを逆回転せしめて緩めることができるようになる。
【００１０】
また、請求項２記載の盗難防止用ボルトに用いられる治具によれば、盗難防止用ボルトを緩める作業が一つの治具Ｆの一端に設けた第一治具Ｆ１の第一係止部４０と、他端に設けた第二治具Ｆ２の第二係止部４１とで行えるようになり、より使い勝手の良いものとなる。
【図面の簡単な説明】
【００１１】
【図１】本発明の盗難防止用ボルトを例示する一部切欠分解正面図である。
【図２】本発明の盗難防止用ボルトを例示する一部切欠正面図である。
【図３】本発明の盗難防止用ボルトを例示する一部切欠正面図である。
【図４】本発明の盗難防止用ボルトのボルト基体を例示するもので、（Ｉ）は平面図、（ＩＩ）は側面図である。
【図５】本発明の盗難防止用ボルトに於ける第一治具の使用例を示す一部切欠正面図である。
【図６】本発明の盗難防止用ボルトに於ける第一治具の使用例を示すもので、（Ｉ）は一部切欠側面図、（ＩＩ）は一部切欠底面図である。
【図７】本発明の盗難防止用ボルトに於ける第二治具の使用例を示すもので、（Ｉ）は一部切欠正面図、（ＩＩ）は一部切欠平面図である。
【発明を実施するための形態】
【００１２】
以下、本発明を図示例に基づいて説明すると、次の通りである。
本発明は、例えば、ナンバープレートや、その他盗難にあっては困るもの等を固定するための盗難防止用ボルトに係り、この盗難防止用ボルトは、通常の工具Ｇ（例えば、ボックスレンチ、レンチ、スパナ、棒レンチ等）を用いることにより、その雄ネジ部４を利用して螺着させることができ、また、一旦螺着させた後では緩めることができず（盗難防止のため）、しかも、非常時（例えば、取替えのときや、修理のときや、誤操作のとき等）には専用の治具Ｆによって緩めることが可能となるものである。
具体的には、外周部に雄ネジ部４を有すると共に、一端がわに第一セレーション３を有するボルト基体Ａと、工具用係止部３４を外がわに有すると共に、第二セレーション３２を内がわに有するボルト頭体Ｅと、ボルト基体Ａ及びボルト頭体Ｅに跨るように内装されると共に、ボルト基体Ａに対して回動且つ摺動自在に装着される軸体Ｂと、この軸体Ｂに摺動方向に沿った弾発力を付勢させる弾発スプリングＣと、軸体Ｂの一端に装着されると共に、ボルト頭体Ｅの内がわに螺着自在な連繋ネジ体Ｄとを備えたものである。
そして、弾発スプリングＣの弾発力により、ボルト頭体Ｅの第二セレーション３２がボルト基体Ａの第一セレーション３に接近して係止状態となるように形成し、ボルト頭体Ｅを所定向きに回転（例えば、右回転）せしめたときには、ボルト頭体Ｅの回転力がボルト基体Ａに伝達されるように形成すると共に、ボルト頭体Ｅを所定向きに対して逆回転（例えば、左回転）せしめたときには、ボルト頭体Ｅが空回りして、ボルト頭体Ｅの回転力がボルト基体Ａに伝達されないように形成してある。
また、前記ボルト基体Ａの第一セレーション３の内がわには、治具用第一係止部８を形成し、前記連繋ネジ体Ｄには、治具用第二係止部２２を形成してある。
更に、弾発スプリングＣの弾発力に抗してボルト基体Ａからボルト頭体Ｅを離したときに第一セレーション３と第二セレーション３２との間に隙間空間ができるように形成してある。
しかも、前記隙間空間から差込み可能な第一治具Ｆ１の第一係止部４０が、連繋ネジ体Ｄの治具用第二係止部２２に係止できるよう形成して、ボルト頭体Ｅを連繋ネジ体Ｄから取外せるように形成してある。
それから、ボルト基体Ａの治具用第一係止部８に係止される第二治具Ｆ２の第二係止部４１によって、ボルト基体Ａを逆回転（例えば、左回転）できるよう構成することにより、前記課題を達成する。
【実施例】
【００１３】
前記ボルト基体Ａは、例えば、金属材や合成樹脂材や適宜複合材等によって一体的に形成されており、具体的には、円筒状の基筒部１と、この基筒部１の一端外周に連設される円環状のフランジ部２と、このフランジ部２の一端表面の外周寄りに（上方に向って）突設される第一セレーション３と、基筒部１の外周表面に形成される雄ネジ部４と、基筒部１の内周面他端がわに形成されるスプリング収容凹部５と、このスプリング収容凹部５より僅かに小径な貫通孔６とで構成されている。
【００１４】
そして、前記第一セレーション３は、複数（例えば、二個〜四個、或いは、それ以上でも良い）の傾斜突起７を回転方向で揃えるように構成されており、この傾斜突起７は、円周方向に沿って全体が湾曲するように形成されていると共に、フランジ部２の一端表面から漸次その高さが増し、最大高さ部分が略鉛直面で構成されている。しかも、第一セレーション３及びフランジ部２の外周側面は、連繋ネジ体Ｄがわに行くに従って漸次窄まるような円錐面状となっており、この部分をスパナ等で挟圧して逆回転させようとしても、滑って挟圧できないように形成してある。
【００１５】
また、前記治具用第一係止部８は、第一セレーション３の内周面がわに設けられており、例えば、傾斜突起７の内周面に平坦面を夫々設けることによって構成されている。すなわち、複数の傾斜突起７の内周面夫々に平坦面状の治具用第一係止部８を設けることにより、複数の治具用第一係止部８に接触する第二治具Ｆ２の第二係止部４１によって、ボルト基体Ａに正逆の回転力を付与できるよう構成されている（図７の（ＩＩ）及び図４の（Ｉ）参照）。
【００１６】
前記軸体Ｂは、例えば、金属材や適宜複合材等によって一体的に形成されており、具体的には、ボルト基体Ａの貫通孔６に回動且つ摺動自在に挿通できるよう形成され、他端には抜止め突部１０が形成され、一端にはストッパー１３（例えば、ＥリングやＣリング等）が装着可能なストッパー取付溝１１が形成され、一端がわ部分には連繋ネジ体Ｄが取付け可能なネジ体取付部１２が形成されている。
しかも、前記抜止め突部１０は、例えば、ボルト基体Ａのスプリング収容凹部５の内径より小径で、貫通孔６の内径より稍大径で、且つ弾発スプリングＣの他端部分に係止できるように形成されている。
【００１７】
前記弾発スプリングＣは、例えば、コイルスプリング状に形成されており、ボルト基体Ａの貫通孔６の他端開口周縁部分と、軸体Ｂの抜止め突部１０との間に縮装されて、軸体Ｂを軸心方向に於いて、他端がわに引き戻すような弾発力を常時付勢できるように構成されている。
【００１８】
前記連繋ネジ体Ｄは、例えば、金属材や適宜複合材等によって一体的に形成されており、具体的には、中央の挿通孔２０によって軸体Ｂのネジ体取付部１２に回動自在に装着されると共に、ストッパー１３によって軸体Ｂから抜け出さないように取付けられている。しかも、連繋ネジ体Ｄの外周部分には雄ネジ部２１が形成され、この雄ネジ部２１の他端がわには、治具用第二係止部２２が形成されている。
尚、前記治具用第二係止部２２は、例えば、一対の平行な平坦面によって形成されている（図６の（ＩＩ）参照）。
【００１９】
前記ボルト頭体Ｅは、例えば、金属材や合成樹脂材や適宜複合材等によって一体的に形成されており、具体的には、袋ナット状を呈し、その他端面がわに凹部３０が形成され、この凹部３０内の中央部分に、連繋ネジ体Ｄの雄ネジ部２１が螺着可能となる雌ネジ部３１が凹設され、凹部３０内の内周寄り部分に第二セレーション３２が形成され、ボルト頭体Ｅの外周表面には通常の工具Ｇが係止可能となる工具用係止部３４が形成されている。尚、工具用係止部３４は、例えば、図示例のような六角ナット形状であっても良いし、或いは、六角穴であっても良いし（図示せず）、或いは、その他適宜自由に設定できるものである。
【００２０】
そして、前記第二セレーション３２は、複数（例えば、二個〜四個、或いは、それ以上でも良い）の傾斜突起３３を回転方向で揃えるように構成されており、この傾斜突起３３は、円周方向に沿って全体が湾曲するように形成されていると共に、凹部３０の奥壁表面から漸次その高さが増し、最大高さ部分が略鉛直面で構成されている。しかも、ボルト頭体Ｅを所定向きに回転（例えば、右回転）せしめたときには、第一セレーション３の傾斜突起７に噛み合って、ボルト頭体Ｅの回転力をボルト基体Ａに伝達できるように形成されているが、ボルト頭体Ｅを逆回転（例えば、左回転）せしめたときには、第一セレーション３の傾斜突起７に噛み合わずに、ボルト頭体Ｅの回転力をボルト基体Ａに伝達できないように形成されている。すなわち、ボルト頭体Ｅを所定向きに回転（例えば、右回転）せしめたときには、第一セレーション３の傾斜突起７の鉛直面部分と、第二セレーション３２の傾斜突起３３の鉛直面部分とが確実に噛み合うようになり、ボルト頭体Ｅの回転力をボルト基体Ａに確実に伝達できるようになり、ボルト頭体Ｅを逆回転（例えば、左回転）せしめたときには、第一セレーション３の傾斜突起７の傾斜面部分を第二セレーション３２の傾斜突起３３の傾斜面部分が弾発スプリングＣの弾発力に抗して繰返し滑動するようになり、ボルト頭体Ｅの回転力をボルト基体Ａに伝達できないようになる。
ところで、第一セレーション３の傾斜突起７と第二セレーション３２の傾斜突起３３は、弾発スプリングＣの引き戻し弾発力によって、傾斜突起７の鉛直面と傾斜突起３３の鉛直面とが接触した状態で安定するように形成されており、ボルト基体Ａに対してボルト頭体Ｅがガタつくことなく係止された状態を維持できるように構成されている。しかも、この状態にあっては、前記凹部３０内に、ボルト基体Ａの第一セレーション３が収まるように形成してあり、外方から見て第一セレーション３が露出せず、外観上の体裁が良くなるように形成してある。
【００２１】
前記治具Ｆは、例えば、金属材や合成樹脂材や適宜複合材等によって一体的に形成されており、その一端には第一治具Ｆ１が形成され、その他端には第二治具Ｆ２が形成されている。すなわち、二つの作業が一つの治具Ｆで行えるように形成されている。尚、治具Ｆは、第一治具Ｆ１用のものと第二治具Ｆ２用のものとを個別に形成してあっても良い。
【００２２】
前記第一治具Ｆ１は、例えば、ボルト頭体Ｅを弾発スプリングＣの弾発力に抗してボルト基体Ａから離れるように引っ張って、第一セレーション３と第二セレーション３２を離したときにできる隙間空間から差し込み可能となるように形成されている。しかも、連繋ネジ体Ｄの治具用第二係止部２２に合致する一対の第一係止部４０が形成されており、連繋ネジ体Ｄの治具用第二係止部２２部分を一対の第一係止部４０で確実に挟んで、連繋ネジ体Ｄを回転不能に保持できるように形成されている。すなわち、連繋ネジ体Ｄを回転不能に保持してから、通常の工具Ｇでボルト頭体Ｅを逆回転（左回転）させることにより、連繋ネジ体Ｄからボルト頭体Ｅを取外せるようになる。
尚、第一治具Ｆ１に於いて、一対の第一係止部４０の間部分は、軸体Ｂが収まると共にその奥部で当接するようなＵ字溝状に形成されており、一対の第一係止部４０を治具用第二係止部２２に係止させるときのガイドとして利用でき、一対の第一係止部４０が治具用第二係止部２２にスムーズに係止できるように形成してある。
【００２３】
前記第二治具Ｆ２は、例えば、一端がわから見て（平面から見て）第一セレーション３の内周面と連繋ネジ体Ｄの外周面との間に形成される隙間部分に差し込み可能で、且つ第一セレーション３の治具用第一係止部８に当接するような平面となる複数の第二係止部４１を備えた構成となっている。すなわち、ボルト頭体Ｅを取外すことによって、第一セレーション３の内周面と連繋ネジ体Ｄの外周面との間の隙間部分が露出することとなり、この隙間部分に一端がわから第二治具Ｆ２を差し込み、第二係止部４１が治具用第一係止部８に係止され、第二治具Ｆ２によってダイレクトにボルト基体Ａを逆回転（左回転）させることができて、ボルト基体Ａを取外せるようになる。
【００２４】
本発明の盗難防止用ボルトは、以上に述べた実施形態に限られるものではなく、発明の要旨を逸脱しない範囲内で各種の変更が可能なものである。
【産業上の利用可能性】
【００２５】
しかして、本発明の盗難防止用ボルトは、通常の工具を用いることにより螺着させることができ、一旦螺着させた後では緩めることができず、しかも、非常時には緩めることが可能となり、ナンバープレート等の盗難を抑制できる盗難防止用ボルトとなる。
【符号の説明】
【００２６】
Ａ      ボルト基体
１      基筒部
２      フランジ部
３      第一セレーション
４      雄ネジ部
５      スプリング収容凹部
６      貫通孔
７      傾斜突起
８      治具用第一係止部
Ｂ      軸体
１０    抜止め突部
１１    ストッパー取付溝
１２    ネジ体取付部
１３    ストッパー
Ｃ      弾発スプリング
Ｄ      連繋ネジ体
２０    挿通孔
２１    雄ネジ部
２２    治具用第二係止部
Ｅ      ボルト頭体
３０    凹部
３１    雌ネジ部
３２    第二セレーション
３３    傾斜突起
３４    工具用係止部
Ｆ      治具
Ｆ１    第一治具
４０    第一係止部
Ｆ２    第二治具
４１    第二係止部
Ｇ      工具
【要約】
【課題】盗難防止用としての役割りを十分に果たせ、作業が面倒でなく行え、取扱い易く、ボルト頭体を連繋ネジ体から取外せ、治具用第一係止部に第二治具の第二係止部を容易に係止でき、ボルト基体を緩めることができる盗難防止用ボルトを提供する。
【解決手段】ボルト基体Ａとボルト頭体Ｅと軸体Ｂと弾発スプリングＣと連繋ネジ体Ｄとを備え、弾発スプリングＣによりボルト頭体Ｅの第二セレーション３２がボルト基体Ａの第一セレーション３に係止状態となり、ボルト頭体Ｅの回転時には回転力を伝達でき、逆回転時には回転力がボルト基体Ａに伝達できず、第一セレーション３に治具用第一係止部８を設け、連繋ネジ体Ｄに治具用第二係止部２２を設け、第一係止部４０が治具用第二係止部２２に係止してボルト頭体Ｅを連繋ネジ体Ｄから取外せ、治具用第一係止部８に係止する第二治具Ｆ２の第二係止部４１により、ボルト基体Ａを逆回転できるよう構成する。
【選択図】図１【図１】
0004730721.tif 000002
【図２】
0004730721.tif 000003
【図３】
0004730721.tif 000004
【図４】
0004730721.tif 000005
【図５】
0004730721.tif 000006
【図６】
0004730721.tif 000007
【図７】
0004730721.tif 000008